(57)【特許請求の範囲】
【請求項１】
第１の筐体と第２の筐体が重なった第１の位置と、前記第２の筐体が前記第１の筐体に対して９０°回動した第２の位置との間で、前記第１の筐体に対し前記第２の筐体を移動可能に支持する開閉機構であって、
前記第１の筐体の取付面に結合され、扇形形状の周縁部に形成された円弧状部を有する第１のプレート部材と、
前記第２の筐体に結合され、前記第１のプレート部材に対して回動可能に支持され、長方形状に形成された第２のプレート部材とを有し、
前記第２のプレート部材の一方の長辺部に、前記第１のプレート部材の円弧状部と係合する第１のガイド部を設け、
前記第２のプレート部材が前記第１のプレート部材に対して回動する際、前記第１のガイド部が前記第１のプレート部材の円弧状部に案内されて回動する構成としたことを特徴とする開閉機構。
【請求項２】
前記第１のプレート部材に設けられた第１の係合部と、前記第２のプレート部材に設けられた第２の係合部とにより構成され、前記第２の筐体が前記第２の位置に移動した際、前記第１の係合部と前記第２の係合部とが係合することにより、前記第１のプレート部材に対する前記第２のプレート部材のスライド動作を規制する規制機構を設けたことを特徴とする請求項１に記載の開閉機構。
【請求項３】
前記第１の係合部は、円弧状部と直線部とを有するＤ字状に形成され、
前記第２の係合部は、前記第２のプレート部材が前記第２の位置に回動するときに前記第１の係合部の円弧状部と係合する円弧状凹部を有することを特徴とする請求項２に記載の開閉機構。
【請求項４】
前記第１のプレート部材と前記第２のプレート部材との間に前記第１のプレート部材に対して前記第２のプレート部材を付勢するばね部材を設け、
前記ばね部材は、前記第２のプレート部材の回動位置が前記第１の位置と前記第２の位置の中間位置を境界としてばね力の作用方向を反転させるよう構成されたことを特徴とする請求項１乃至３の何れか一項に記載の開閉機構。
【請求項５】
前記第２のプレート部材の前記第１のガイド部に対向する他方の長辺部に第２のガイド部を設けると共に、前記第１のガイド部及び前記第２のガイド部が前記第１のプレート部材の縁部を摺動可能に挟むよう構成され、
前記第２のプレート部材は、前記第１及び第２のガイド部が前記第１のプレート部材の縁部に案内されることにより、前記第１の位置より前記第２の位置に向かう長手方向に摺動するよう構成されたことを特徴とする請求項１乃至４の何れか一項に記載の開閉機構。
【請求項６】
前記第１のプレート部材に対して前記第２のプレート部材を回動可能に連結する回動中心軸の近傍に中空軸を設け、前記中空軸を軸方向に貫通する中空孔に前記第１の筐体と第２の筐体とを接続する配線を挿通させたことを特徴とする請求項１乃至５の何れか一項に記載の開閉機構。
【請求項７】
前記第１のプレート部材は、扇形形状の周縁部に周方向に９０°の範囲に形成された円弧形状部を有し、
前記円弧形状部の端部に突出する突出部が前記第２のプレート部材の長辺部に形成されて切欠部に嵌合して前記第２のプレート部材が前記第２の位置に回動したときの位置決めを行なう構成とされたことを特徴とする請求項１乃至６の何れか一項に記載の開閉機構。
【発明の詳細な説明】
【技術分野】
【０００１】
本発明は開閉機構に係り、特に第１の筐体と第２の筐体とを開閉可能に連結する開閉機構に関する。
【背景技術】
【０００２】
例えば、テンキーまたはキーボードが配された第１の筐体と、液晶モニタ等のディスプレイ装置が配された第２の筐体とを有する携帯端末装置においては、第１の筐体と第２の筐体とを開閉可能に連結する開閉機構が設けられている。
【０００３】
この開閉機構としては、第１の筐体と第２の筐体とを回動可能に連結する第１の方式と、第１の筐体と第２の筐体とをスライド可能に連結する第２の方式と、第１の筐体と第２の筐体とをスライドさせて９０°回動させる第３の方式などがある。
【０００４】
上記第３の方式の開閉機構としては、例えば、第１の筐体に設けられたスライドレールと、当該スライドレールに係合してスライドする中間体と、第２の筐体に固定される固定ユニットと、固定ユニットを中間体に回転可能に接続する回転接続部とを有する構成の開閉機構がある（例えば、特許文献１参照）。
【０００５】
また、上記中間体は、ロックユニット、スライド移動ユニット、回転ユニットを有し、回転ユニットが固定ユニットに固定されている。
【先行技術文献】
【特許文献】
【０００６】
【特許文献１】特開２００８−９２２６４号公報
【発明の概要】
【発明が解決しようとする課題】
【０００７】
しかしながら、上記従来の開閉機構は、第２の筐体を９０°回動させる場合に、第１の筐体に設けられたスライドレールに沿って第２の筐体をスライドさせた後、第２の筐体を９０°回動させる操作を行なう必要があるので、２回の操作を行なうといった煩わしさがある。
【０００８】
また、上記従来の開閉機構では、中間体及び回転接続部を構成する部品点数が多く、組立工程に多数の手間がかかり、生産効率を高めることが難しいという問題があった。
【０００９】
そこで、本発明は上記事情に鑑み、上記課題を解決した開閉機構を提供することを目的とする。
【課題を解決するための手段】
【００１０】
上記課題を解決するため、本発明は以下のような手段を有する。
（１）本発明は、第１の筐体と第２の筐体が重なった第１の位置と、前記第２の筐体が前記第１の筐体に対して９０°回動した第２の位置との間で、前記第１の筐体に対し前記第２の筐体を移動可能に支持する開閉機構であって、
前記第１の筐体の取付面に結合され、扇形形状の周縁部に形成された円弧状部を有する第１のプレート部材と、
前記第２の筐体に結合され、前記第１のプレート部材に対して回動可能に支持され、長方形状に形成された第２のプレート部材とを有し、
前記第２のプレート部材の一方の長辺部に、前記第１のプレート部材の円弧状部と係合する第１のガイド部を設け、
前記第２のプレート部材が前記第１のプレート部材に対して回動する際、前記第１のガイド部が前記第１のプレート部材の円弧状部に案内されて回動する構成としたことを特徴とする。
（２）本発明は、前記第１のプレート部材に設けられた第１の係合部と、前記第２のプレート部材に設けられた第２の係合部とにより構成され、前記第２の筐体が前記第２の位置に移動した際、前記第１の係合部と前記第２の係合部とが係合することにより、前記第１のプレート部材に対する前記第２のプレート部材の移動を規制する規制機構を設けたことを特徴とする。
（３）本発明の前記第１の係合部は、円弧状部と直線部とを有するＤ字状に形成され、
前記第２の係合部は、前記第２のプレート部材が前記第２の位置に回動するときに前記第１の係合部の円弧状部と係合する円弧状凹部を有することを特徴とする。
（４）本発明は、前記第１のプレート部材と前記第２のプレート部材との間に前記第１のプレート部材に対して前記第２のプレート部材を付勢するばね部材を設け、
前記ばね部材は、前記第２のプレート部材の回動位置が前記第１の位置と前記第２の位置の中間位置を境界としてばね力の作用方向を反転させるよう構成されたことを特徴とする。
（５）本発明は、前記第２のプレート部材の前記第１のガイド部に対向する他方の長辺部に第２のガイド部を設けると共に、前記第１のガイド部及び前記第２のガイド部が前記第１のプレート部材の縁部を摺動可能に挟むよう構成され、
前記第２のプレート部材は、前記第１及び第２のガイド部が前記第１のプレート部材の縁部に案内されることにより、前記第１の位置より前記第２の位置に向かう長手方向に摺動するよう構成されたことを特徴とする。
（６）本発明は、前記第１のプレート部材に対して前記第２のプレート部材を回動可能に連結する回動中心軸の近傍に中空軸を設け、前記中空軸を軸方向に貫通する中空孔に前記第１の筐体と第２の筐体とを接続する配線を挿通させたことを特徴とする。
（７）本発明の前記第１のプレート部材は、扇形形状の周縁部に周方向に９０°の範囲に形成された円弧形状部を有し、
前記円弧形状部の端部に突出する突出部が前記第２のプレート部材の長辺部に形成されて切欠部に嵌合して前記第２のプレート部材が前記第２の位置に回動したときの位置決めを行なう構成とされたことを特徴とする。
【発明の効果】
【００１１】
本発明によれば、第２のプレート部材を第１のプレート部材に対して回動させる際、第２のガイド部が扇形形状に形成された第１のプレート部材の円弧状部に案内されて回動するため、構成の簡略化を図れると共に、第２のプレート部材をスムーズに回動させることが可能になり、操作性を改善することができる。
【００１２】
また、本発明によれば、第１のプレート部材に対する第２のプレート部材の移動を規制する規制機構を設けたため、第２のプレート部材をスライド操作または回動操作を選択的に行える。
【図面の簡単な説明】
【００１３】
【図１】本発明による開閉機構の一実施例の動作を示す図である。
【図２】開閉機構の構成を示す分解斜視図である。
【図３Ａ】表示側筐体の構成を示す正面図である。
【図３Ｂ】表示側筐体の構成を示す側面図である。
【図３Ｃ】表示側筐体の構成及び内部機構を示す背面図である。
【図４】表示側筐体をスライドさせた状態を背面側からみた斜視図である。
【図５】表示側筐体をスライドさせた状態を示す背面図である。
【図６Ａ】表示側筐体を４５°回動させた状態を背面側からみた斜視図である。
【図６Ｂ】表示側筐体を４５°回動させた状態を示す背面図である。
【図７Ａ】表示側筐体を９０°回動させた状態を背面側からみた斜視図である。
【図７Ｂ】表示側筐体を９０°回動させた状態を示す背面図である。
【発明を実施するための形態】
【００１４】
以下、図面を参照して本発明を実施するための形態について説明する。
【実施例１】
【００１５】
本発明は、例えば、表示部と操作部とを有する電子装置又は通信端末装置等に用いられる開閉機構であって、表示部と操作部との２つの開閉操作パターン（スライド操作・回動操作）を選択に操作可能な構成であり、且つ開閉操作をスムーズに行えるように構成されている。以下では、まず、開閉機構による操作パターンを説明し、その後、各部の構成について説明する。
〔開閉機構による操作パターン〕
図１は本発明による開閉機構の一実施例の動作を示す図である。図１に示されるように、開閉機構１０は、例えば、液晶パネル等を有する表示側筐体２０を、各操作キーを有する操作側筐体３０に対してスライド操作又は回動操作を選択的に行えるように連結している。
【００１６】
ここで、開閉機構１０の基本的な動作について説明する。開閉機構１０は、状態Ａ（閉状態）のとき、操作側筐体（第１の筐体）２０と表示側筐体（第２の筐体）３０とが互いに重なり合った閉じた状態（第１の位置）であり、例えば、使用しない場合にこの状態に保持される。
【００１７】
状態Ｂ（スライド状態）は、表示側筐体３０を操作側筐体２０に対して上方にスライドさせる場合であり、表示側筐体３０が長辺方向に摺動して保持され、メール送受信操作あるいは通話が行える。
【００１８】
また、状態Ｃ（４５°回動状態）は、表示側筐体３０を操作側筐体２０に対して４５°回動させた回動操作途中の状態です。
【００１９】
次の状態Ｄ（９０°回動状態）は、状態Ｃに続いて表示側筐体３０を操作側筐体２０に対して９０°回動させた第２の位置に停止させた状態です。この状態Ｄにおいては、表示側筐体３０が操作側筐体２０に対して９０°回動しているので、表示側筐体３０の長辺側が横長状態に保持され、例えば、受信した画像の表示が行える。
〔開閉機構の構成〕
図２は開閉機構の構成を示す分解斜視図である。図２に示されるように、開閉機構１０は、操作側筐体２０に固定された第１のプレート部材４０と、表示側筐体３０に固定された第２のプレート部材５０と、第１のプレート部材４０に対して第２のプレート部材５０をスライド方向又は回動方向に付勢するばね部材６０とを有する。従って、開閉機構１０は、多数の部品を必要とせず、組立工程の工数を削減して、生産効率を高めることができる。
【００２０】
第１のプレート部材４０は、操作側筐体２０に固定されているので、第２のプレート部材５０を状態Ａから状態Ｂへスライドさせる際のガイドを行い、また第２のプレート部材５０を状態Ａから状態Ｃ、Ｄへ回動させる際のガイドも行えるように設けられている。
〔第１のプレート部材４０の構成〕
第１のプレート部材４０は、第２のプレート部材５０を上下方向にガイドする左側縁部に沿うように形成された第１の摺動縁部７０と、第２のプレート部材５０を回動方向にガイドする扇形形状の第２の摺動縁部８０とを有する。
【００２１】
第１、第２の摺動縁部７０、８０は、第１のプレート部材４０のプレート本体４２よりも厚さ寸法が薄く、且つプレート本体４２の周囲に突出するように形成されている。尚、第１のプレート部材４０のプレート本体４２の背面４２ａは、操作側筐体２０が固定される取付面となる。
【００２２】
また、プレート本体４２は、第２の摺動縁部８０に沿うように円弧状に形成された円弧状部４２ｂを有する。この円弧状部４２ｂは、状態Ａから状態Ｃ、Ｄに回動操作される際、後述する第２のプレート部材５０の右側ガイド部１５０の円弧状ガイド部１５４の周縁部から若干の隙間を介して離間している。
【００２３】
第１の摺動縁部７０は、上側突出部７２が状態Ａのときのストッパとして作用し、下側突出部７４が状態Ｂのときのストッパとして作用する。また、第１の摺動縁部７０の下端近傍には、第２のプレート部材５０の動作を規制する規制ガイド部材（第１の係合部）９０が取り付けられる。
【００２４】
この規制ガイド部材９０は、外周に円弧状部９２と、直線部９４とを有するＤ字状に形成されており、回動中心には小判形状に形成された規制ピン１００が嵌合する長孔９６を有する。尚、規制ガイド部材９０は、状態Ａのとき直線部９４が後述する左側ガイド１４０の規制部（第２の係合部）１８０に対向して非係合状態（スライド操作可能状態）であり、状態Ｃ、Ｄのときは、円弧状部９２が後述する左側ガイド１４０の規制部１８０に係合する係合状態（回動操作可能状態）となる。
【００２５】
規制ピン１００は、規制ガイド部材９０の長孔９６に嵌合すると共に、裏面側の突起１００ｃが第１の摺動縁部７０の下端付近を貫通する取付孔７６に圧入される。取付孔７６は、長方形状に形成されており、且つ規制ピン１００の突起１００ｃも長方形形状に形成されている。また、規制ピン１００は、規制ガイド部材９０の長孔９６に対応する幅広部１００ａと幅狭部１００ｂとを有する長方形形状であるが、第１のプレート部材４０に対してＹ１、Ｙ２方向に幅狭部１００ｂが位置するように固定される。
【００２６】
上記規制ピン１００は、規制ガイド部材９０の長孔９６及び長方形状に形成された取付孔７６との嵌合により回動不可状態に固定されることで、規制ガイド部材９０を所定の向きに固定する。これにより、規制ガイド部材９０は、Ｄ字状に形成された外周形状のうち、円弧状部９２が右側に配され、直線部９４が左側に配された位置に位置決めされる。従って、状態Ａのときは、規制ガイド部材９０の直線部９４が規制部１８０に対向する左側に位置しているので、スライド操作又は回動操作の何れか一方を操作することができる。
【００２７】
また、第２の摺動縁部８０は、円弧状に形成された円弧状部８２と、円弧状部８２の下端から下方に突出する突起部８４とを有する。後述するように、円弧状部８２は、第２のプレート部材５０の回動動作をガイドされる回動ガイド部として作用し、円弧状部８２の下端部及び突起部８４は、第２のプレート部材５０のスライド動作をガイドされる直線ガイド部として作用する。また、突起部８４は、先端部が第２のプレート部材５０の回動動作完了時のストッパとして作用するように突出している。
【００２８】
第２の摺動縁部８０の上端には、厚さ方向の正面側に突出する突出部８６が設けられている。この突出部８６は、後述する上側蓋部材１６０のガイド部１６２の裏側に形成されたガイド溝１６２ａに嵌合して状態Ａの閉状態を保持する保持部として作用する。
〔ばね部材６０の構成〕
ばね部材６０は、トーションバネであり、第１のプレート部材４０と第２のプレート部材５０との間に配される渦巻き状部６２と、渦巻き状部６２から水平方向に延在する第１端部６４と、渦巻き状部６２から下方に延在する第２端部６６とを有する。尚、ばね部材６０は、前述した各状態Ａ〜Ｄにおいて、第１端部６４と第２端部６６との相対位置が変化し、そのときの相対位置に応じた付勢方向にばね力を作用させるように取り付けられている。
【００２９】
また、ばね部材６０の第１端部６４の先端部は、円弧状に曲げられており、第１のプレート部材４０の取付孔４４に締結される第１の固定ピン１１０に掛止される。第１の固定ピン１１０は、中空軸状に形成されており、中空軸を貫通する中空孔１１２は操作側筐体２０と表示側筐体３０との間を接続する配線Ｋ（図２中、２点鎖線で示す）を挿通するための配線ガイドとしても作用する。
【００３０】
また、ばね部材６０の第２端部６６の先端部は、円弧状に曲げられており、第２のプレート部材５０の取付孔５２に締結される第２の固定ピン１２０に掛止される。この第２の固定ピン１２０は、板状体１３０の取付孔１３２に挿通されてばね部材６０の第２端部６６を第２のプレート部材５０に保持する。
【００３１】
ばね部材６０は、第１のプレート部材４０と第２のプレート部材５０との相対位置に応じてばね力の作用方向が変化し、第２のプレート部材５０の回動位置が状態Ａ（第１の位置）と状態Ｄ（第２の位置）の中間位置（状態Ｃ）を境界としてばね力の作用方向を反転させるように設けられている。
【００３２】
板状体１３０は、ばね部材６０の第２端部６６が第１のプレート部材４０と干渉しないようにばね部材６０の第２端部６６を覆う位置に設けられており、後述するように状態Ａから状態Ｃ、Ｄに回動操作される際に第１のプレート部材４０のプレート本体４２の回動を妨げないように湾曲部１３０ａを有する。また、板状体１３０は、第２のプレート部材５０との間にばね部材６０の第２端部６６が介在する隙間を形成する段部１３０ｂ、１３０ｃが上下端部に設けられている。
〔第２のプレート部材５０の構成〕
図３Ａは表示側筐体の構成及び内部機構を示す正面図である。図３Ｂは表示側筐体の構成及び内部機構を示す側面図である。図３Ｃは表示側筐体の構成及び内部機構を示す背面図である。
【００３３】
図３Ａに示されるように、第２のプレート部材５０は、正面取付部５４に液晶パネル等からなる表示部を有する表示側筐体３０が取り付けられる。
【００３４】
図３Ｂ及び図３Ｃに示されるように、第１のプレート部材４０は、第２のプレート部材５０の背面側凹部５６に収納されるため、第２のプレート部材５０の厚さ方向にプレート本体４２の一部がはみ出す程度で薄型化が図られている。
【００３５】
第２のプレート部材５０は、背面側凹部５６の長辺側となる左右両側に、第１のプレート部材４０の第１、第２の摺動縁部７０、８０に係合する左、右側ガイド部１４０、１５０が設けられている。また、背面側凹部５６の上下端部には、第１のプレート部材４０が当接する上側蓋部材１６０、下側蓋部材１７０が嵌合固定されている。上側蓋部材１６０は、背面側凹部５６との間に第１のプレート部材４０の第１の摺動縁部７０の上側突出部７２が摺動するガイド溝１６２ａ（図３Ｃ中、破線で示す）を有する。
【００３６】
背面側凹部５６の左側に形成された左側ガイド部１４０は、背面側凹部５６との間に第１のプレート部材４０の第１の摺動縁部７０が摺動する断面コ字状のガイド溝１４２を有する。また、左側ガイド部１４０には、背面側凹部５６の中央に向かって突出する規制部１８０が設けられている。規制部１８０は、台形状部の内側端部に円弧状凹部１８２を有する。また、左側ガイド部１４０の左側壁には、回動動作時の逃げ部となる切欠部１８４が設けられている。
【００３７】
背面側凹部５６の右側に形成された右側ガイド部１５０は、第１のプレート部材４０の第２の摺動縁部８０が摺動する直線状ガイド部１５２及びガイド溝１５２ａ（図３Ｃ中、破線で示す）を有する。また、右側ガイド部１５０の上端側（Ｙ１方向側）には、第１のプレート部材４０の第２のガイド８０の円弧状部８２と同じ曲率半径で形成された円弧状ガイド部（第１のガイド部）１５４及び円弧状ガイド溝１５４ａ（図３Ｃ中、破線で示す）が形成されている。
【００３８】
さらに、右側ガイド部１５０の右側壁には、回動操作時に第１のプレート部材４０の第２のガイド８０から突出する突起部８４が嵌合する切欠部１５６（図２参照）が設けられている。
【００３９】
左側ガイド部１４０と第１のプレート部材４０との間には、第１のプレート部材４０に対する第２のプレート部材５０の移動を規制する規制機構１９０が設けられている。この規制機構１９０は、第１のプレート部材４０に設けられた規制ガイド部材９０と、第２のプレート部材５０に設けられた規制部１８０とにより構成されている。
【００４０】
また、規制機構１９０は、第２のプレート部材５０が前述した状態Ａの第１の位置から状態Ｄの第２の位置に９０°回動したとき、規制ガイド部材９０の円弧状部９２が規制部１８０の円弧状凹部１８２に係合する係合状態（ロック状態）に切り替わる。そのため、第２のプレート部材５０を９０°回動させた状態Ｄにおいて、第２のプレート部材５０を上下方向にスライドさせようと操作しても規制ガイド部材９０の円弧状部９２が規制部１８０の円弧状凹部１８２に係合されているので、第２のプレート部材５０のスライド動作が行えない。
【００４１】
また、第２のプレート部材５０を状態Ｄの第２の位置から状態Ａの第１の位置に戻すと、規制ガイド部材９０の直線部９４が規制部１８０の円弧状凹部１８２に対向して離間した非係合状態（ロック解除状態）になる。この状態Ａにおいては、前述したスライド操作又は回動操作の何れかを選択的に操作することが可能になる。
【００４２】
図３Ｃに示されるように、状態Ａのときは、第２のプレート部材５０が長辺側を垂直方向（Ｙ１、Ｙ２方向）に延在させた縦向きとなる。また、状態Ａにおいては、第１の固定ピン１１０が第２の固定ピン１２０よりも左斜め上方に位置している。
【００４３】
そのため、ばね部材６０のばね力は、第１のプレート部材４０を斜め左上方に付勢すると共に、第２のプレート部材５０を斜め右下方に付勢している。このとき、第２のプレート部材５０は、上側蓋部材１６０のガイド溝１６２ａが第１のプレート部材４０の第１の摺動縁部７０の上側突出部７２に当接して閉位置に位置決めされる。よって、第１のプレート部材４０と第２のプレート部材５０は、ばね部材６０のばね力によって互いに状態Ａの閉位置に保持される。
〔開閉機構１０のスライド操作時の動作説明〕
図４は表示側筐体をスライドさせた状態を背面側からみた斜視図である。図５は表示側筐体をスライドさせた状態を示す背面図である。
【００４４】
図４及び図５に示されるように、前述した状態Ａから状態Ｂへスライド操作した場合の動作は、第２のプレート部材５０が第１のプレート部材４０に対して上方（Ｙ１方向）にスライドする。このスライド動作の過程では、第１のプレート部材４０の第１の摺動縁部７０が背面側凹部５６の左側に形成されたガイド溝１４２ａに係合し、第２の摺動縁部８０が背面側凹部５６の右側に形成されたガイド溝１５２ａに係合している。そのため、第２のプレート部材５０は、左右両側のガイド溝１４２ａ、１５２ａが第１のプレート部材４０の両側に突出する摺動縁部７０、８０にガイドされてスムーズにスライドする。そして、第２のプレート部材５０は、下側蓋部材１７０が第１のプレート部材４０の下側に突出する下側突出部７４及び突起部８４に当接して状態Ｂのスライド完了位置に位置決めされる。
【００４５】
また、規制機構１９０は、規制ガイド部材９０の直線部９４が規制部１８０の円弧状凹部１８２に対向して離間した状態（非係合状態）になっている。そのため、規制部１８０の円弧状凹部１８２は、上記スライド操作により規制ガイド部材９０に接触することなく前述した状態Ａから状態Ｂへ移動する。
【００４６】
ここで、ばね部材６９の第１端部６４が掛止された第１の固定ピン１１０と、ばね部材６９の第２端部６６が掛止された第２の固定ピン１２０との相対位置関係について説明する。
【００４７】
図３Ｃに示す状態Ａのときは、第１の固定ピン１１０が第２の固定ピン１２０よりも左斜め上方に位置している。また、図５に示す状態Ｂにスライド操作したときは、第１の固定ピン１１０が第２の固定ピン１２０よりも左斜め下方に位置している。
【００４８】
そのため、状態Ａから状態Ｂに切り替わる過程において、ばね部材６０のばね力は、第１のプレート部材４０を斜め左上方に付勢すると共に、第２のプレート部材５０を斜め右下方に付勢する状態から、第１のプレート部材４０を斜め左下方に付勢すると共に、第２のプレート部材５０を斜め右上方に付勢する状態に変化する。
【００４９】
従って、スライド操作の当初は、ばね部材６０の第１端部６４と第２端部６６との離間距離を狭くする方向に押圧するが、第１の固定ピン１１０が第２の固定ピン１２０よりも下方に移動した時点で、ばね部材６０のばね力が第２のプレート部材５０を上方に付勢するように作用する。そのため、第２のプレート部材５０を第１のプレート部材４０に対して上方（Ｙ１方向）にスライドさせる際は、スライド操作の途中からばね部材６０のばね力によって第２のプレート部材５０が上方に押し出される。
【００５０】
また、第２のプレート部材５０を第１のプレート部材４０に対して下方（Ｙ２方向）にスライドさせる際は、スライド操作の途中からばね部材６０のばね力によって第２のプレート部材５０が下方に押し戻される。よって、第２のプレート部材５０は、スライド操作のストロークの前半まで押圧操作されると、ストロークの後半はばね部材６０のばね力によって自動的にスライド動作する。
〔開閉機構１０の回動操作時の動作説明〕
ここでは、図３Ｃに示す状態Ａから図６Ａ、図６Ｂに示す状態Ｃの動作について説明し、その後、状態Ｃから図７Ａ、図７Ｂに示す状態Ｄについて説明する。
【００５１】
図６Ａは表示側筐体を４５°回動させた状態を背面側からみた斜視図である。図６Ｂは表示側筐体を４５°回動させた状態を示す背面図である。尚、図６Ｂにおいては、表示側筐体３０の内部構成を示すため、操作側筐体２０を一点鎖線で示す。
【００５２】
図６Ａ及び図６Ｂに示されるように、規制機構１９０は、規制ガイド部材９０の円弧状部９２が規制部１８０の円弧状凹部１８２に係合した状態（係合状態）になる。そのため、第２のプレート部材５０は、規制ガイド部材９０の円弧状部９２の外周に円弧状凹部１８２を摺接させて回動する。そのため、規制部１８０の円弧状凹部１８２は、規制ガイド部材９０を回動軸として前述した状態Ａから状態Ｃへ回動する。
【００５３】
また、表示側筐体３０を操作側筐体２０に対してＸ１方向に４５°回動させた状態Ｃでは、第１のプレート部材４０の上側突出部７２及び円弧状部８２に係合する第２のプレート部材５０のガイド部１６２、１５４がＸ１方向に回動する。この回動操作時は、第１のプレート部材４０の円弧状部８２が、ガイド部１５４のガイド溝１５４ａ内を摺接して回動動作がガイドされる。これと共に、第１のプレート部材４０の下側突出部７４は、第２のプレート部材５０の規制部１８０に形成された切欠部１８４に嵌合する。
【００５４】
また、上記のように表示側筐体３０を操作側筐体２０に対してＸ１方向に４５°回動させた状態Ｃにおいては、ばね部材６０は、第１のプレート部材４０を左方向に付勢すると共に、第２のプレート部材５０を右方向に付勢している。これにより、第２のプレート部材５０は、第１のプレート部材４０の上側突出部７２及び円弧状部８２と下側突出部７４にがたつきなくガイドされてＸ１方向に回動する。
【００５５】
また、ばね部材６０は、第１のプレート部材４０と第２のプレート部材５０と相対位置に応じてばね力の作用方向が変化するため、第２のプレート部材５０の回動位置が状態Ａ（第１の位置）と状態Ｄ（第２の位置）の中間位置（状態Ｃ）に達した時点を境界としてばね力の作用方向を反転させる。従って、第１のプレート部材４０に対して第２のプレート部材５０を４５°の角度に回動させた後は、ばね部材６０のばね力が表示側筐体３０を操作側筐体２０に対してＸ１方向に回動させる力として作用する。
【００５６】
そのため、状態Ｃから状態Ｄまでの回動動作は、ばね部材６０のばね力の作用により軽い力で回動させることができる。
【００５７】
図７Ａは表示側筐体を９０°回動させた状態を背面側からみた斜視図である。図７Ｂは表示側筐体を９０°回動させた状態を示す背面図である。尚、図７Ｂにおいては、表示側筐体３０の内部構成を示すため、操作側筐体２０を一点鎖線で示す。
【００５８】
図７Ａ及び図７Ｂに示されるように、表示側筐体３０を操作側筐体２０に対してＸ方向に９０°回動させた状態Ｄにおいて、第２のプレート部材５０は長辺側を水平方向に延在させた横向きとなる。
【００５９】
この状態Ｄにおいては、第１のプレート部材４０の上側突出部７２が第２のプレート部材５０のガイド溝１５２に形成された切欠部１５６（図２を参照）に嵌合し、第１のプレート部材４０の下側突出部７４が規制部１８０の切欠部１８４に嵌合する。さらに、第１のプレート部材４０の下側の突起部８４がガイド溝１４２の側壁に当接する。
【００６０】
また、上記のように表示側筐体３０を操作側筐体２０に対してＸ１方向に９０°回動させた状態Ｄにおいては、ばね部材６０は、第１のプレート部材４０を下方向に付勢すると共に、第２のプレート部材５０を上方向に付勢している。これにより、第２のプレート部材５０は、第１のプレート部材４０に対してがたつきなく水平状態に位置決めされる。
【００６１】
このように、状態Ａにおいて、第１のプレート部材４０に対して第２のプレート部材５０を９０°回動操作することで、第２のプレート部材５０はスムーズに回動して状態Ｄとなる第２の位置に保持される。従って、第２のプレート部材５０は、第１のプレート部材４０の上側突出部７２及び円弧状部８２に係合する第２のプレート部材５０のガイド部１６２、１５４がＸ１方向に回動して状態Ａから状態Ｄへ回動する。
【００６２】
また、第１のプレート部材４０に対して第２のプレート部材５０を回動操作する際、規制機構１９０は、規制ガイド部材９０の円弧状部９２が規制部１８０の円弧状凹部１８２に係合する状態（ロック状態）になっている。そのため、上記回動操作時において、規制ガイド部材９０は、規制部１８０の円弧状凹部１８２との係合により第２のプレート部材５０がＹ１、Ｙ２方向に摺動することを規制し、スライド操作を禁止する。
【００６３】
また、上記回動操作では、第１のプレート部材４０に締結される第１の固定ピン１１０の中空孔１１２に配線Ｋが挿通されているが、第１の固定ピン１１０が回動中心の近傍に設けられているので、回動動作に伴う回転力が配線Ｋに作用しにくくなっている。尚、回動操作時に配線が捩られると、配線Ｋに無理な力が働くため、断線を引き起こすことが懸念されると共に、回動操作の負荷増大も懸念される。しかしながら、本実施例では、状態Ａから状態Ｄに回動操作した場合でも配線Ｋを捩るような力が働かないため、断線のおそれがなく、回動操作時に配線Ｋによる負荷が発生しないことから回動操作をスムーズに行える。
【００６４】
上記状態Ｄから状態Ａに戻す際は、第１のプレート部材４０に対して第２のプレート部材５０を上記Ｘ１方向とは逆のＸ２方向に回動操作する。この状態Ａに戻す際の回動操作による動作は、上記回動動作と逆の動作となる。そのため、第１のプレート部材４０に対して第２のプレート部材５０を状態ＤからＸ２方向に回動させることにより、図６Ａ及び図６Ｂに示す状態Ｃになる。さらに、第１のプレート部材４０に対して第２のプレート部材５０を４５°の角度に回動させた後は、ばね部材６０のばね力が表示側筐体３０を操作側筐体２０に対してＸ２方向に回動させる力として作用する。
【００６５】
そのため、状態Ｃから状態Ａまでの回動動作は、ばね部材６０のばね力の作用により軽い力で回動させることができる。このように、状態Ａから状態Ｄ、あるいは状態Ｄから状態Ａに回動操作する際は、第１のプレート部材４０に対して第２のプレート部材５０を回動させるだけなので、スムーズに回動動作させることができる。
【産業上の利用可能性】
【００６６】
上記実施例では、表示部と操作部とを有する携帯型電話機を用いられる開閉機構として説明したが、携帯型電話機以外の電子装置又は通信端末装置等に用いても良いのは勿論である。
【符号の説明】
【００６７】
１０  開閉機構
２０  表示側筐体
３０  操作側筐体
４０  第１のプレート部材
４２  プレート本体
５０  第２のプレート部材
５４  正面取付部
５６  背面側凹部
６０  ばね部材
６２  渦巻き状部
６４  第１端部
６６  第２端部
７０  第１の摺動縁部
７２  上側突出部
８０  第２の摺動縁部
９０  規制ガイド部材
９２  円弧状部
９４  直線部
９６  長孔
１００  規制ピン
１１０  第１の固定ピン
１１２  中空孔
１２０  第２の固定ピン
１３０  板状体
１３２  取付孔
１５０  右側ガイド部
１５２  直線状ガイド部
１５２ａ  ガイド溝
１５４  円弧状ガイド部
１５４ａ  円弧状ガイド溝
１５６  切欠部
１６０  上側蓋部材
１６２  ガイド部
１６２ａ  ガイド溝
１７０  下側蓋部材
１８０  規制部
１８２  円弧状凹部
１８４  切欠部
１９０  規制機構
【図１】
0005546975.tif 000002
【図２】
0005546975.tif 000003
【図３Ａ】
0005546975.tif 000004
【図３Ｂ】
0005546975.tif 000005
【図３Ｃ】
0005546975.tif 000006
【図４】
0005546975.tif 000007
【図５】
0005546975.tif 000008
【図６Ａ】
0005546975.tif 000009
【図６Ｂ】
0005546975.tif 000010
【図７Ａ】
0005546975.tif 000011
【図７Ｂ】
0005546975.tif 000012